(57)【特許請求の範囲】
【請求項１】
トナー像を担持する第１像担持体と、
回転する無端状のベルト部材であって前記第１像担持体に接触してトナー像が転写される第２像担持体と、
前記第１像担持体上のトナー像を一次転写部にて前記第２像担持体上へと転写する転写手段と、
前記第２像担持体に接触してトナーを除去する第１クリーニングデバイスと、
前記第２像担持体における前記第１クリーニングデバイスよりも回動方向下流側で前記第１像担持体よりも回動方向上流側の所定位置に接離可能に配置され、接触時に前記第２像担持体上に付着した付着物を拭い取って除去するウェブ部材を備える第２クリーニングデバイスと、を有する画像形成装置において、
前記ウェブ部材を前記第２像担持体に接離させる接離手段を有し、前記接離手段は、連続して画像形成動作が行われる際に、初めて前記一次転写部に到達したときに画像形成領域となる領域では前記ウェブ部材を当接させ、前記第ウェブ部材を離間させたときの前記第２像担持体の前記所定位置の領域が初めて前記一次転写部に到達するときに画像間の非画像領域となるように前記ウェブ部材を離間させることを特徴とする画像形成装置。
【請求項２】
前記第１クリーニングデバイスがファーブラシ方式で構成されていることを特徴とする請求項１に記載の画像形成装置。
【請求項３】
前記ウェブ部材が前記第２像担持体から離間して前記第２像担持体に吐き出したトナーは、前記第２像担持体から前記第１像担持体へと転写されて、前記第１像担持体のクリーニング手段で除去されることを特徴とする請求項１又は２に記載の画像形成装置。
【発明の詳細な説明】
【技術分野】
【０００１】
本発明は、電子写真複写機、ファクシミリ装置、電子写真プリンタおよび複合機など電子写真方式を利用した電子写真画像形成装置（以下、単に「画像形成装置」という）に関し、これに装備されて特に外添剤除去に有効なウェブ方式などクリーニングデバイスに関する。
【背景技術】
【０００２】
電子写真方式、あるいは静電記録方式を利用して記録媒体であるシート上に画像を形成する画像形成装置では、サイズや材質など多種多様なシートに対応して高画質の画像を形成するために、中間転写体として無端状の樹脂ベルトが多用されている。樹脂ベルトの材質には画質高品位が得られ、高耐久性で安定した特性を有することからポリイミドなどが代表的に用いられる。転写後、そうした樹脂ベルト上に現像剤（トナー）が付着して残る。そうした残留トナーを除去するためのクリーニングデバイスとして、ポリイミド樹脂ベルトの表面性を考慮して高い除去能力が得られるブレード方式が多用されてきた（たとえば、特許文献１参照）。
【０００３】
近年、高画質化や高クリーニング能力への要求が強まっており、トナーはより小粒径化し、またトナー形状が非球形化する傾向にある。そのようなトナーの形状変化などに起因して以下順を追って説明する新たな問題が提起される。
【０００４】
上記樹脂ベルトについては、転写中に画像への加圧力が大きいために、文字やライン画像などで特に中抜けまたは画像抜けと呼ばれる画像不良を発生し易くするといった問題がある。その画像の中抜け現象を防ぐために、ベルトを複数の層からなる積層体に成形して少なくとも１つの層を弾性層として設けた弾性構造中間転写体ベルト（以下、単に「弾性ベルト」という）が上記樹脂ベルトに代えて主流となってきている。しかし、この弾性ベルトは転写性に優れているがその反面、表面層に弾性層を配置するとクリーニングデバイスのブレードを摺接させるときの当接圧が大きく、ブレードへの負荷が大きい。そのため、ブレードのエッジ先端が弾性ベルトの表面層に喰い込んで挙動が不安定となり、十分なクリーニングが行えず、また大きな摩擦力でブレードに捲れ、びびり、鳴きなど生じる不具合がある。また、弾性ベルトの表面層も傷み、さらにはトナーが融着などするさまざまな弊害を引き起こし、画質を低下させる。
【０００５】
この弾性ベルトの問題解消には、同じくクリーニングデバイスであるファーブラシ方式を採用すれば、ベルト接触時の摩擦負荷が小さくて済むので期待でき、多くの技術が提案されている（たとえば、特許文献２参照）。ファーブラシ方式は、細い繊維を植えたブラシローラを高速回転させて摩擦帯電したブラシの毛先にトナーを付着させ、機械的にトナーを除去する方式である。すなわち、バイアス電圧印加状態で当接させてトナーの極性を逆極性のバイアス電圧を印加し、静電的にファーブラシに吸着させて像担持体としての中間転写体ベルトである弾性ベルト、あるいは電子写真感光体ドラム（以下、単に「感光体ドラム」という）から残留トナーを除去する。
【０００６】
しかし、このファーブラシ方式においても以下の問題点がある。ベルト上のトナー像を普通紙などのシート上に転写後、残留した転写残トナーは転写時に加えられたバイアス電圧値によっては、トナーの極性がプラスからマイナスに、あるいはマイナスからプラスに反転する場合がある。この極性が反転した転写残トナーは、ファーブラシの印加バイアスと同極性のためにファーブラシでは吸着されず、通過してしまう。ファーブラシを通過したトナーは、次画像と重なってしまうために画像不良を引き起こし易い。
【０００７】
そのような問題解消のためにファーブラシを２つ用いた構造も提案されている（たとえば、特許文献３参照）。この場合２つのファーブラシにそれぞれ極性の異なるバイアスを印加する。それによって二次転写部でのバイアス、使用環境およびトナー劣化などでプラスマイナスどちらの極性に帯電していても確実にファーブラシにトナーを吸着し、除去するようにしている。
【０００８】
また、かかるファーブラシ方式の場合、トナーや、トナー表面改質剤として用いられる微粉末の外添剤が表層に付着し、それが原因で転写不良やクリーニング不良が発生することがあるが、そうした外添剤を除去するのに効果が半減する。そこで、残留トナーはもとより、外添剤の除去に効果が期待できるクリーニングデバイスとして、付着物を除去するためのウェブをロール巻にし、その供給ロールから繰り出して残留トナーを拭き取り、拭き取り後は巻取ロールで巻き取らせて回収するウェブ方式が知られている（たとえば、特許文献４参照）。
【０００９】
【特許文献１】特開２００１−３０５８７８号公報
【特許文献２】特許第３２３６４４２号公報
【特許文献３】特開２００２−２０７４０３号公報
【特許文献４】特開平１０−１４９０３３号公報
【発明の開示】
【発明が解決しようとする課題】
【００１０】
しかしながら、上記特許文献４などに開示されたウェブ方式にあっては、多量のトナーやトナー外添剤がウェブ側のニップ部に堆積すると、その堆積した外添剤などがニップ部からすり抜けて画像上に残留してしまい、画像不良を引き起こす不具合がある。その場合、ウェブを前述の樹脂ベルトまたは弾性ベルトに強く当接させることも考えられるが、当接圧が大きくなるとベルト表面に外添剤などを余計擦りつけてしまって逆効果であり、ベルト抵抗の変動などを引き起こす原因となる。また、外添剤などを少しでも多く除去しようとしてウェブを多量に繰り出してやると、それだけウェブ消費が増して取り替え回数の頻度も増え、メンテナンスに費やす時間的損失が大きい。
【００１１】
本発明の目的は、転写性に優れた中間転写体としての弾性ベルトを装備し、ウェブ方式とファーブラシ方式の利点を活かして特にトナー外添剤など有効に除去して画像不良を防ぎ、またウェブ部材の繰り出しによる消費量を節約できる画像形成装置を提供することにある。
【課題を解決するための手段】
【００１２】
上記目的を達成するために、本発明の画像形成装置は、トナー像を担持する第１像担持体と、回転する無端状のベルト部材であって前記第１像担持体に接触してトナー像が転写される第２像担持体と、前記第１像担持体上のトナー像を一次転写部にて前記第２像担持体上へと転写する転写手段と、前記第２像担持体に接触してトナーを除去する第１クリーニングデバイスと、前記第２像担持体における前記第１クリーニングデバイスよりも回動方向下流側で前記第１像担持体よりも回動方向上流側の所定位置に接離可能に配置され、接触時に前記第２像担持体上に付着した付着物を拭い取って除去するウェブ部材を備える第２クリーニングデバイスと、を有する画像形成装置において、前記ウェブ部材を前記第２像担持体に接離させる接離手段を有し、前記接離手段は、連続して画像形成動作が行われる際に、初めて前記一次転写部に到達したときに画像形成領域となる領域では前記ウェブ部材を当接させ、前記第ウェブ部材を離間させたときの前記第２像担持体の前記所定位置の領域が初めて前記一次転写部に到達するときに画像間の非画像領域となるように前記ウェブ部材を離間させることを特徴とする。
【発明の効果】
【００１３】
本発明の画像形成装置によれば、作像中の画像と次画像作像までの時間（または紙間）、クリーニングデバイスを無端状の第２像担持体から離間させることにより、クリーニングデバイス側の除去部材の消費と消耗と避ける。
【発明を実施するための最良の形態】
【００１４】
以下、本発明による画像形成装置の好適な一実施形態について、図面を参照して詳細に説明する。
【００１５】
図１は、たとえばＹ（イエロー），Ｍ（マゼンタ），Ｃ（シアン），Ｋ（ブラック）など４色に対応する４つの静電潜像担持体である感光体ドラム（第１像担持体）を備えたタンデム方式の画像形成装置を示す。装置本体に備わる中間転写体であるこの場合無端状の弾性ベルト（第２像担持体）１８１が駆動ローラ１２５、テンションローラ１２６およびバックアップローラ１２９の各ローラ間に捲回して張架されている。第２像担持体として弾性ベルト１８１を採用する理由は前述したとおりであり、図２に示すように、順に樹脂層１８１ａ、弾性層１８１ｂおよび表層１８１ｃからなる３層積層体として成形されている。
【００１６】
その弾性ベルト１８１の水平部分に沿うようにして同一構造の４つの画像形成部Ｐａ，Ｐｂ，Ｐｃ，Ｐｄが上記Ｙ，Ｍ，Ｃ，Ｋ各色に対応して直列状に配設されている。以下、それらの４つの画像形成部の構成について代表的に画像形成部Ｐａを説明する。なお、他の３つの画像形成部Ｐｂ，Ｐｃ，Ｐｄについても、画像形成部Ｐａの各部の符号に対応させた符号を付してある。
【００１７】
画像形成部Ｐａは、装置本体の回転駆動源であるモータから回転動力を受けて回転可能に支持された感光体ドラム１０１ａを備えている。この感光体ドラム１０１ａに作用するプロセス手段として周囲に一次帯電器１２２ａ、現像器１２３ａおよびクリーニング装置１１２ａなどが配置されている。現像器１２３ａにはたとえばＹ（イエロー）色のトナーが収納されているものとする。
【００１８】
感光体ドラム１０１ａの表面は一次帯電器１２２ａによって帯電バイアス電圧を印加され、均一に帯電される。レーザスキャナなどの露光装置１１１ａからは、原稿のＹ成分色による画像信号がポリゴンミラーなどを介して感光体ドラム１０１ａ上に投射されて静電潜像が形成される。続いて、現像器１２３ａからＹ色トナーが供給されて静電潜像がＹ色トナー像として現像される。このＹ色トナー像は感光体ドラム１０１ａの回転に伴い、感光体ドラム１０１ａと弾性ベルト１８１の双方が当接する一次転写部Ｔ１に到達する。この一次転写部Ｔ１では、一次転写装置（第１の転写手段）である転写ローラ１２４ａから第１の転写バイアス電圧が印加され、Ｙ色トナー像が弾性ベルト１８１に転写される。
【００１９】
このＹ色トナー像を担持した弾性ベルト１８１は次過程の画像形成部Ｐｂに搬送され、それまでに画像形成部Ｐｂでは同一手段や方法で感光体ドラム１０１ｂ上に形成されたＭ色トナー像がＹ色トナー像上に転写される。同じようにして、弾性ベルト１８１が矢印方向に沿って画像形成部Ｐｃ，Ｐｄに進行するに伴い、それぞれの転写部Ｔ１にてＣ色トナー像、Ｋ色トナー像が前述のトナー像に重畳転写される。そのときまでに給紙カセット１６０から送り出された記録媒体であるシートＰが二次転写部Ｔ２に到達し、二次転写装置（第２の転写手段）１４０に印加される転写バイアス電圧で上記４色トナー像がシートＰ上に転写される。
【００２０】
このように、一次転写部Ｔ１において弾性ベルト１８１に担持されたカラー画像は、弾性ベルト１８１に当接する二次転写部Ｔ２の二次転写ローラ１４０によって転写材であるシートＰに再転写される。二次転写ローラ１４０は転写バイアス用電源（図示略）に接続されており、転写ローラから正極性の電圧が印加される。電圧印加で発生した電界によって、弾性ベルト１８１に接触中のシートＰに、弾性ベルト１８１上の負極性のトナー像が順次転写され、カラー画像が形成される。Ｙ，Ｍ，Ｃ，Ｋの４色トナー像が転写されたシートＰは、定着部１９０に送られて加熱と加圧によってトナー像をシートＰ上に定着させる。一次転写部Ｔ１で転写しきれなかった感光体ドラム１０１ａ上の残留トナーは、クリーニング装置１１２ａでクリーニングして除去される。
【００２１】
そこで、二次転写部Ｔ２において転写しきれずに弾性ベルト１８１上に残留したトナーは、図３および図４に示す第１クリーニングデバイス１１６において除去されるようになっている。この第１クリーニングデバイス１１６は本実施形態の場合、２つのファーブラシ機構１１６ａ，１１６ｂで構成されている。
【００２２】
図３において、第１クリーニングデバイス１１６は弾性ベルト１８１の近傍に配置された装置ハウジング１１７を有し、このハウジング内に上記２つのファーブラシ機構１１６ａ，１１６ｂを収容している。これら両ファーブラシ機構は抵抗値１０ＭΩ、繊維太さ６デニールのカーボン分散型ナイロン繊維３をその植毛密度５０万本／ｉｎｃｈ^２の割合で金属ローラ上に植毛した導電性のファーブラシ１１８ａ，１１８ｂを有している。ファーブラシ１１８ａ，１１８ｂは、弾性ベルト１８１に対し約１.０ｍｍの侵入量を保って摺接配置され、駆動モータ（図示略）によって５０ｍｍ／秒の速度でもつて矢印方向へ回動するように形成されている。
【００２３】
さらに、装置ハウジング１１７の内部にはファーブラシ１１８ａ，１１８ｂとそれぞれ対をなして当接し、表面に硬質アルマイト処理が施されたアルミニウム製の金属ローラ１１９ａ，１１９ｂが配置されている。金属ローラ１１９ａ，１１９ｂは、ファーブラシ１１８ａ，１１８ｂに対して約１.０ｍｍの侵入量を保って配置され、ファーブラシ１１８ａ，１１８ｂと同等の速度で矢印方向へ回転されるように配置されている。また、金属ローラ１１９ａ，１１９ｂに当接するブレード１２０ａ，１２０ｂを有し、このブレードはウレタンゴムからなり、金属ローラ１１９ａ，１１９ｂに侵入量１.０ｍｍを保って配置されている。
【００２４】
以上の各部材によって第１クリーニングデバイス１１６が構成され、ファーブラシ１１８ａ，１１８ｂに対向して弾性ベルト１８１を挟む位置に押圧ローラ１６１ａ，１６１ｂが配置され、弾性ベルト１８１をファーブラシ１１８ａ，１１８ｂに適度な押圧力で押し付けている。
【００２５】
したがって、第２像担持体である無端状の弾性ベルト１８１上に転写しきれずに残留したトナーは第１クリーニングデバイス１１６が機能してつぎのように除去される。
【００２６】
弾性ベルト１８１が回動走行する方向の上流側に位置する一方のファーブラシ機構１１６ａでは、金属ローラ１１９ａに対して電源（図示略）から−７００Ｖ（対接地、以下同様）の電圧が印加される。下流側に位置するファーブラシ機構１１６ｂの金属ローラ１１９ｂには＋７００の電圧が印加される。金属ローラ１１９ａ，１１９ｂに電圧を印加することより、ファーブラシ１１８ａ，１１８ｂとの間に電位差が生じ、弾性ベルト１８１上の残留トナー中の（＋）トナーをファーブラシ１１８ａ，１１８ｂ側に吸着して転移する。吸着して除去したトナーをさらに電位差によりファーブラシ１１８ａ，１１８ｂから金属ローラ１１９ａ，１１９ｂに転移させ、ブレード１２０ａ，１２０ｂで掻き落とす。
【００２７】
ところで、上流側ファーブラシ機構１１６ａで弾性ベルト１８１上の残留トナーをクリーニングしても、弾性ベルト１８１上には極性を持たないものや、（−）の極性を持ったトナーが残留する場合がある。その残留トナーはファーブラシ１１８ａに印加される（−）のバイアスによって（−）に帯電される。これは、電荷注入または放電によって帯電されるものと考えられる。そして、下流側のファーブラシ機構１１６ｂに（＋）のバイアスを印加してクリーニングを行うことにより、それらのトナーを除去することができる。除去したトナーは、電位差によりファーブラシ１１８ｂから金属ローラ１１９ｂに転移し、ブレード１２０ｂで掻き落とすことで弾性ベルト１８１上に残留したトナーを除去することができる。
【００２８】
しかし、弾性ベルト１８１の表面にはトナーの外添剤も付着しており、この外添剤が上記第１クリーニングデバイス１１６においても除去しきれなかった場合が発生する。
【００２９】
その場合、図４に示すように、第１クリーニングデバイス１１６よりも下流側にて待機している第２クリーニングデバイス１５０によって未除去分の外添剤を除去し、回収して再利用する場合はリサイクル装置に回されて次画像形成に供される。
【００３０】
この第２クリーニングデバイス１５０は、不織布製のウェブ１５１が供給ローラ１５２にロール巻状に巻かれて少しずつ繰り出され、巻き掛けされた押圧ローラ１５３を経由して巻取ローラ１５４に巻き取られ、回収される構成となっている。第２クリーニングデバイス１５０の装置全体は支軸ピン１５５を回動支点にして回動可能に支持され、加圧解除手段１５６によって弾性ベルト１８１に対して接近離間が可能となっている。ウェブ１５１は駆動ローラ１２６に対向する位置で弾性ベルト１８１に当接することで、弾性ベルト１８１の表面をクリーニングする。巻取ローラ１５４は駆動手段（図示略）からの回転動力を受けて回転駆動してウェブ１５１を巻き取り、それによって弾性ベルト１８１への当接個所に新しいウェブ１５１を順次供給できるようにしている。
【００３１】
ウェブ１５１は、弾性ベルト１８１の表層に２．０ｋｇの総圧を作用させて当接する。ウェブ１５１の材質としてはポリエステル、アクリル、ビニロン、水溶性ビニロン、レーヨン、ナイロン、ポリプロピレン、コットンなどから選ばれる１種類あるいは２種類以上のものを使用できる。ただし、上記材料に限定されるものではない。トナーから遊離した外添剤は、転写部など圧の作用する部分で弾性ベルト１８１の表面に擦りつけられて付着する。擦りつけられた外添剤はクリーニング装置でも回収できないので、ウェブ１５１によって機械的に回収する。しかしながら、ウェブ１５１の同じ面を長時間使用すると、ウェブ１５１が付着物を回収する容量を越えて目詰まりを起こし、ウェブ１５１と弾性ベルト１８１のニップ部からトナーがすり抜けてしまう。
【００３２】
したがって、画像形成による稼動時間がある程度の所定時間を経過したならば、ウェブ１５１を一定量巻き取り、弾性ベルト１８１との当接面を新しくしてやる必要がある。本実施形態においては、ウェブ１５１を巻き取るタイミングおよび量をＡ４判のシート２５枚を通紙するごとに２ｍｍとしている。弾性ベルト１８１との当接部つまりニップ部にウェブ１５１をそうしたタイミングと量で送り込むことにより、弾性ベルト１８１の表面に付着した残留トナーおよびトナー外添剤などの付着物を良好に除去することができる。
【００３３】
なお、本実施形態においては、第２クリーニングデバイス１５０に不織布製のベルト状ウェブ１５１を装備した例が示されている。弾性ベルト１８１に当接してベルト表面の付着物を内部に捕集できれば、そのベルト状ウェブ１５１に限定されず、たとえば不織布製ウェブ部材を表面に巻きつけたウェブローラを弾性ベルト１８１に当接させて回転させる構成も可能である。
【００３４】
以上から理解されるように、本実施形態の第２クリーニングデバイス１５０では、ウェブ１５１をタイミング良く適量ずつ繰り出し、弾性ベルト１８１への接触と離間を交互に制御することで、外添剤のごとき付着物の除去に有効である。しかも、ウェブ１５１の消費量が無駄なく、過剰供給とならないように繰り出し量制御すれば、ウェブ材料が節約でき、取替メンテナンス作業による時間的ロスを最小限に抑えることができる。
【００３５】
つぎに、上記効果を実現するためのウェブ制御（クリーニングデバイス離間制御）について実施例１〜３を参照して説明する。ただし、以下寸法数字が表示されているが、あくまで説明の便宜にすぎず、実機に即したものとは限らない。
【００３６】
（ウェブ制御：実施例１）
図４において、ウェブ１５１を弾性ベルト１８１から離間させるタイミングの制御は以下のように実行される。第１クリーニングデバイス１１６のファーブラシ１１８ａ，１１８ｂが弾性ベルト１８１に当接するニップ部における中心と、ウェブ１５１が弾性ベルト１８１に当接するニップ部中心との軸間距離を、たとえば約５０ｍｍに設定するものとする。また、ウェブ１５１が弾性ベルト１８１に当接するニップ部中心と、感光体ドラム１０１ａが弾性ベルト１８１に当接するニップ部中心との軸間距離を、たとえば約９７ｍｍに設定する。さらに、感光体ドラム１０１ａ上の露光位置から、感光体ドラム１０１ａが弾性ベルト１８１に当接するニップ部中心までの軸間距離をたとえば約１１７ｍｍに設定する。この場合の画像形成装置のプロセススピードをたとえば３００ｍｍ／ｓｅｃとする。
【００３７】
図５に示すように、画像先端を示す書き出し信号が出力されてから、画像長さがたとえば約２０ｍｍ分だけ形成されて経過後、画像先端の書き出し信号から画像長さが約２０ｍｍだけ経過した画像と次画像との間隔分だけ経過する間に、ウェブ１５１を押圧ローラ１５２３ごと弾性ベルト１８１から遠ざけて離間させる。そのようにして次画像との画像間にウェブ１５１を離間させる。
【００３８】
ウェブ１５１が弾性ベルト１８１から離間すると、堆積したトナー（堆積トナー）は正極に帯電しているので弾性ベルト１８１上に付着し、感光体ドラム１０１ａのクリーニング装置１１２ａで回収される。これによりウェブ１５１にトナーがすり抜けるほど堆積するのを防ぐことができ、トナーのすり抜けによる画像不良を防ぐことができる。
【００３９】
つまり、上記堆積トナーが弾性ベルト１８１に運ばれて一次転写部Ｔ１に達したとき、感光ドラム１０１ａの非画像領域（トナー像の存在しない領域）が一次転写部Ｔ１に存在するように、ウェブ１５１は離間される。
【００４０】
（ウェブ制御：実施例２）
画像先端を示す書き出し信号と同タイミングか、あるいは書き出し信号の出力から画像長さが約２０ｍｍ分だけ時間が経過するまでの間、ウェブ１５１を弾性ベルト１８１から離間させる。それにより次画像との画像間でウェブ１５１を離間させることができる。ウェブ１５１が弾性ベルト１８１から離間すると、堆積したトナーは正極に帯電しているので弾性ベルト１８１上に付着し、感光体ドラム１０１ａのクリーニング装置で回収される。離間している間にウェブ１５１は巻き取られ、新しいウェブ面で弾性ベルト１８１に当接する。そのようにしてウェブ１５１にトナーがすり抜けるほど堆積するのを防げるので、トナーすり抜けによる画像不良の発生を防止することができる。
【００４１】
（ウェブ制御：実施例３）
この場合、適宜場所に配置されたシート検出センサ（図示略）によってシートＰの後端を検出すると、その検出信号が出力された時点から次画像の先端までの間、ウェブ１５１を弾性ベルト１８１から離間させておくものである。実施例１，２の場合と同様な効果が得られる。
【００４２】
ここで、画像形成部Ｐａを構成する上記各機器について追記する。
【００４３】
感光体ドラム１０１ａはアルミニウム製シリンダの外周面に有機光導電体層（ＯＰＣ）を塗布して構成したものである。感光体ドラム１０１ａは、その両端部をフランジによって回転自在に支持されており、一方の端部に駆動モータ（図示略）からの回転動力を受けて図の反時計廻りの方向に回転駆動される。一次帯電器１２２ａは、導電性のローラとして形成され、その導電性ローラを感光体ドラム１０１ａ表面に当接させるとともに、電源（図示略）によって帯電バイアス電圧を印加して感光体ドラム１０１ａ表面を均一に負極性に帯電させる。露光装置１１１ａは、いずれも図示を略してはいるが、ポリゴンミラーを先端に装着したＬＥＤアレイよりなっており、駆動回路によって画像信号に応じて点灯制御される。現像器１２３ａは、それぞれ負帯電特性のＹ，Ｍ，Ｃ，Ｋ各色のトナーを収納したトナー収納部（図示略）、感光体ドラム１０１ａ表面に隣接し、いずれも図示を略してはいるが駆動部によって回転駆動されると共に、図示しない現像バイアス電源により現像バイアス電圧を印加することにより現像を行う現像ローラ等から構成される。前記トナー収納部には転写材の搬送方向上流側から順にトナー収納部にＹ，Ｍ，Ｃ，Ｋ各色トナーが収納されている。
【００４４】
弾性ベルト１８１の内側には一次転写部Ｔ１である転写ローラ１２４ａ，１２５ｂ，１２５ｃ，１２５ｄが並設され、４つの感光体ドラム１０１ａ，１０１ｂ，１０１ｃ，１０１ｄに対向して弾性ベルト１８１に当接している。これら転写ローラは転写バイアス用電源（図示略）に接続されており、転写ローラから正極性の電圧が印加される。電圧印加で発生した電界によって、感光体ドラム１０１に接触中の弾性ベルト１８１に感光体ドラム１０１上の負極性の各色トナー像が順次転写され、カラー画像が形成される。
【００４５】
弾性ベルト１８１を構成する各層（図２参照）にはつぎのような材質を用いることができる。樹脂層１８１ａは、ポリカーボネート，フッ素系樹脂（ＥＴＦＥ，ＰＶＤＦ）、ポリスチレン、クロロポリスチレン、ポリ−α−メチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体及びスチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変性アクリル樹脂（シリコーン変性アクリル樹脂、塩化ビニル樹脂変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリエステルポリウレタン樹脂、ポリエチレン、ポリプロピレン、ポリブタジエン、ポリ塩化ビニリデン、アイオノマー樹脂、ポリウレタン樹脂、シリコーン樹脂、ケトン樹脂、エチレン−エチルアクリレート共重合体、キシレン樹脂及びポリビニルブチラール樹脂、ポリアミド樹脂、ポリイミド樹脂、変性ポリフェニレンオキサイド樹脂、変性ポリカーボネート等からなる群より選ばれる１種類あるいは２種類以上を使用することができる。ただし、上記材料に限定されるものではない。
【００４６】
また、弾性層１８１ｂを形成する弾性材料（弾性材ゴム、エラストマー）としては、ブチルゴム，フッ素系ゴム，アクリルゴム，ＥＰＤＭ，ＮＢＲ，アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１，２−ポリブタジエン、エピクロロヒドリン系ゴム、リコーンゴム、フッ素ゴム、多硫化ゴム、ポリノルボルネンゴム、水素化ニトリルゴム、熱可塑性エラストマー（例えばポリスチレン系、ポリオレフィン系、ポリ塩化ビニル系、ポリウレタン系、ポリアミド系、ポリウレア，ポリエステル系、フッ素樹脂系）等からなる群より選ばれる１種類あるいは２種類以上を使用することができる。ただし、上記材料に限定されるものではないことは当然である。
【００４７】
また、表層１８１ｃの材料として特に制限されないが、弾性ベルト１８１表面へのトナーの付着力を小さくして二次転写性を高めるものが要求される。たとえば、ポリウレタン，ポリエステル，エポキシ樹脂などの１種類の樹脂材料か、弾性材料（弾性材ゴム、エラストマー）、ブチルゴム，フッ素系ゴム，アクリルゴム，ＥＰＤＭ，ＮＢＲ，アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴムの弾性材料のうち、２種類以上を使用し表面エネルギーを小さくし潤滑性を高める材料、例えばフッ素樹脂，フッ素化合物，フッ化炭素，２酸化チタン，シリコンカーバイトなどの粉体、粒子を１種類あるいは２種類以上または粒径を異ならしたものを分散させ使用することができる。
【００４８】
樹脂層１８１ａや弾性層１８１ｂには抵抗値調節用導電剤が添加される。この抵抗値調節用導電剤は特に制限はないが、たとえばカーボンブラック、グラファイト、アルミニウムやニッケル等の金属粉末、酸化錫，酸化チタン，酸化アンチモン，酸化インジウム，チタン酸カリウム，酸化アンチモン−酸化錫複合酸化物（ＡＴＯ），酸化インジウム−酸化錫複合酸化物（ＩＴＯ）等の導電性金属酸化物、導電性金属酸化物は、硫酸バリウム，ケイ酸マグネシウム，炭酸カルシウム等の絶縁性微粒子を被覆したものでもよい。上記導電剤に限定されるものではない。
【００４９】
弾性ベルト１８１を製造するには、たとえば回転する円筒形の型に材料を流し込みベルトを形成する遠心成型法、表層の薄い膜を形成させるスプレイ塗工法がある。さらに、円筒形の型を材料の溶液の中に浸けて引き上げるディッピング法、内型と外型の中に注入する注型法、円筒形の型にコンパウンドを巻き付け加硫研磨を行う方法がある。しかし、それら各製造方法に限定されるものではなく、複数の製造法を組み合わせてベルトを製造することができる。
【００５０】
以上、実施形態とその実施例１〜３などについて説明されたが、本発明の主旨を逸脱しない範囲内であればその他の実施形態、応用例、変形例およびそれらの組み合わせも可能である。
【図面の簡単な説明】
【００５１】
【図１】は本発明の実施形態によるクリーニングデバイスを搭載した画像形成装置を示す図。
【図２】は本実施形態の弾性ベルト(中間転写体ベルト)の積層構造を示す断面図。
【図３】は本実施形態によるファーブラシ方式の第１クリーニングデバイスを示す図。
【図４】は第１クリーニングデバイスに加えてウェブ方式の第２クリーニングデバイスを示す。
【図５】は本実施形態によるウェブ離間制御タイムチャート。
【符号の説明】
【００５２】
１０１                感光体ドラム（第１像担持体）
１１６                ファーブラシ方式の第１クリーニングデバイス
１１８ａ，１１８ｂ       ファーブラシ
１５０                ウェブ方式の第２クリーニングデバイス
１５１                ウェブ
１５２                ウェブ供給ローラ
１５３                押圧ローラ
１５４                巻取ローラ
１８１                中間転写体の弾性ベルト（第２像担持体）
【図１】
0004829661.tif 000002
【図３】
0004829661.tif 000003
【図４】
0004829661.tif 000004
【図５】
0004829661.tif 000005
【図２】
0004829661.tif 000006